【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】画像処理装置及び画像処理方法


【手続補正２】
【補正対象書類名】明細書
【補正対象項目名】特許請求の範囲
【補正方法】変更
【補正の内容】
【特許請求の範囲】
【請求項１】
動画像情報を周波数成分に変換して符号化された動画像符号化情報を外部装置へ伝送する画像処理装置であって、
低画質成分からなる動画像符号化情報を前記外部装置へ伝送する伝送手段と、
前記外部装置から動画像取込を指示するコマンドデータを受信する受信手段とを有し、
前記伝送手段は、前記受信手段により受信したコマンドデータに基づいた期間に対応する動画像情報の高画質成分からなる動画像符号化情報を前記外部受信装置へ伝送することを特徴とする画像処理装置。
【請求項２】
前記動画像符号化情報は動画像情報を周波数成分に変換して符号化された情報であり、前記低画質成分からなる動画像符号化情報とは低周波成分からなる動画像符号化情報であり、前記高画質成分からなる動画像符号化情報とは高周波成分からなる動画像符号化情報であることを特徴とする請求項１に記載の画像処理装置。
【請求項３】
前記動画像符号化情報は動画像情報をＤＣＴ変換して符号化された情報であり、前記低画質成分からなる動画像符号化情報とはＤＣ成分からなる動画像符号化情報であり、前記高画質成分からなる動画像符号化情報とはＡＣ成分からなる動画像符号化情報であることを特徴とする請求項１に記載の画像処理装置。
【請求項４】
外部装置から低画質成分からなる動画像符号化情報を受信する受信手段と、
前記受信手段により受信された動画像符号化情報を復号化する復号化手段と、
前記復号化手段により復号化された動画像情報を表示する表示手段と、
動画像取込を指示するコマンドデータを前記外部装置へ伝送する伝送手段とを有し、
前記受信手段は、前記コマンドデータに基づいた期間に対応する動画像情報の高画質成分からなる動画像符号化情報を前記外部装置から受信することを特徴とする画像処理装置。
【請求項５】
前記動画像符号化情報は動画像情報を周波数成分に変換して符号化された情報であり、前記低画質成分からなる動画像符号化情報とは低周波成分からなる動画像符号化情報であり、前記高画質成分からなる動画像符号化情報とは高周波成分からなる動画像符号化情報であることを特徴とする請求項４に記載の画像処理装置。
【請求項６】
前記動画像符号化情報は動画像情報をＤＣＴ変換して符号化された情報であり、前記低画質成分からなる動画像符号化情報とはＤＣ成分からなる動画像符号化情報であり、前記高画質成分からなる動画像符号化情報とはＡＣ成分からなる動画像符号化情報であることを特徴とする請求項４に記載の画像処理装置。
【請求項７】
動画像情報を周波数成分に変換して符号化された動画像符号化情報を外部装置へ伝送する画像処理方法であって、
低画質成分からなる動画像符号化情報を前記外部装置へ伝送し、
前記外部装置から動画像取込を指示するコマンドデータを受信し、
前記受信したコマンドデータに基づいた期間に対応する動画像情報の高画質成分からなる動画像符号化情報を前記外部受信装置へ伝送することを特徴とする画像処理方法。
【請求項８】
外部装置から低画質成分からなる動画像符号化情報を受信し、
前記受信された動画像符号化情報を復号化し、
前記復号化された動画像情報を表示手段に表示し、
動画像取込を指示するコマンドデータを前記外部装置へ伝送し、
前記コマンドデータに基づいた期間に対応する動画像情報の高画質成分からなる動画像符号化情報を前記外部装置から受信することを特徴とする画像処理方法。
【手続補正３】
【補正対象書類名】明細書
【補正対象項目名】０００１
【補正方法】変更
【補正の内容】
【０００１】
【発明の属する技術分野】
本発明は、監視カメラシステムやテレビ会議システム等に用いられ、特に、画像確認の為のモニタ画像及び記録等の為の取込画像を伝送或いは受信する画像処理装置及び画像処理方法に関するものである。


【手続補正４】
【補正対象書類名】明細書
【補正対象項目名】０００５
【補正方法】変更
【補正の内容】
【０００５】
そこで、本発明は、上記の欠点を除去するために成されたもので、取込画像の画質を劣化させることなく、伝送効率の向上を図った画像処理装置及び画像処理方法を提供することを目的とする。


【手続補正５】
【補正対象書類名】明細書
【補正対象項目名】０００６
【補正方法】変更
【補正の内容】
【０００６】
【課題を解決するための手段】
本発明の画像処理装置の第１の態様は、動画像情報を周波数成分に変換して符号化された動画像符号化情報を外部装置へ伝送する画像処理装置であって、低画質成分からなる動画像符号化情報を前記外部装置へ伝送する伝送手段と、前記外部装置から動画像取込を指示するコマンドデータを受信する受信手段とを有し、前記伝送手段は、前記受信手段により受信したコマンドデータに基づいた期間に対応する動画像情報の高画質成分からなる動画像符号化情報を前記外部受信装置へ伝送することを特徴とする。
本発明の画像処理装置の第２の態様は、外部装置から低画質成分からなる動画像符号化情報を受信する受信手段と、前記受信手段により受信された動画像符号化情報を復号化する復号化手段と、前記復号化手段により復号化された動画像情報を表示する表示手段と、動画像取込を指示するコマンドデータを前記外部装置へ伝送する伝送手段とを有し、前記受信手段は、前記コマンドデータに基づいた期間に対応する動画像情報の高画質成分からなる動画像符号化情報を前記外部装置から受信することを特徴とする。
本発明の画像処理方法の第１の態様は、動画像情報を周波数成分に変換して符号化された動画像符号化情報を外部装置へ伝送する画像処理方法であって、低画質成分からなる動画像符号化情報を前記外部装置へ伝送し、前記外部装置から動画像取込を指示するコマンドデータを受信し、前記受信したコマンドデータに基づいた期間に対応する動画像情報の高画質成分からなる動画像符号化情報を前記外部受信装置へ伝送することを特徴とする。
本発明の画像処理方法の第２の態様は、外部装置から低画質成分からなる動画像符号化情報を受信し、前記受信された動画像符号化情報を復号化し、前記復号化された動画像情報を表示手段に表示し、動画像取込を指示するコマンドデータを前記外部装置へ伝送し、前記コマンドデータに基づいた期間に対応する動画像情報の高画質成分からなる動画像符号化情報を前記外部装置から受信することを特徴とする。


【手続補正６】
【補正対象書類名】明細書
【補正対象項目名】００９６
【補正方法】変更
【補正の内容】
【００９６】
【発明の効果】
本発明によれば、例えば通常のモニタ画像に利用可能な動画像符号化情報として、データレートの低い低画質成分からなる動画像符号化情報を伝送し、コマンドデータの受信に応じて、コマンドデータに対応する期間に対応するデータレートの高い高画質成分からなる動画像符号化情報、例えば重要なキャプチャ画像に利用可能な動画像符号化情報を適応的に伝送するように構成したので、システム全体のデータレートを低く抑えることが可能となる。
また、コマンドデータの受信に応じて高画質成分からなる動画像符号化情報を伝送するように構成したので、例えばキャプチャ画像の高画質を確保することができる。